(57)【要約】【課題】アレルギー反応が生じたことを推測することができる検出装置、および検出装置を用いた検出システムを提供する。【解決手段】検出装置１は、アレルギー反応が発症したことを推測するための検出装置であって、アレルギー反応で生じる痒みにより誘因される掻破動作を含む動作を検出データとして取得する検出部１１を備えている。また、検出部で取得した検出データを処理装置２に送信する送信部１５を備えている。検出システム３は、検出装置１と処理装置２とを備えて構成され、処理装置２は、検出装置１から送信された検出データを受信する受信部、および受信した検出データが周期的な繰返し動作を示すか否かを判断し、検出データを所定の記憶領域に記憶する処理部を有する。【選択図】図２
2017153709.tif 000002
【特許請求の範囲】
【請求項１】
アレルギー反応が発症したことを推測するための検出装置であって、
前記アレルギー反応で生じる痒みにより誘因される掻破動作を含む動作を検出データとして取得する検出部を備えていることを特徴とする検出装置。
【請求項２】
請求項１に記載の検出装置であって、
前記検出部で取得した前記検出データを所定の装置に送信する送信部を備えることを特徴とする検出装置。
【請求項３】
請求項１または請求項２に記載の検出装置であって、
前記検出部は、加速度センサーを備えていることを特徴とする検出装置。
【請求項４】
請求項３に記載の検出装置と、
前記検出装置から送信された前記検出データを受信する受信部、および受信した前記検出データが周期的な繰返し動作を示すか否かを判断し、前記検出データを所定の記憶領域に記憶する処理部を有する処理装置と、
を備えることを特徴とする検出システム。
【請求項５】
請求項４に記載の検出システムであって、
前記処理装置は位置特定装置を備え、前記位置特定装置による位置情報および時刻情報を取得し、前記検出データに対応させて前記記憶領域に記憶することを特徴とする検出システム。
【請求項６】
請求項５に記載の検出システムであって、
前記検出データは、所定の位置情報により分類されて保存されることを特徴とする検出システム。
【請求項７】
請求項６に記載の検出システムであって、
前記検出データの保存は、前記所定の位置情報に対応して時系列に保存されることを特徴とする検出システム。
【請求項８】
請求項６または請求項７に記載の検出システムであって、
前記処理装置は、取得する現在の位置情報が、前記所定の位置情報の範囲内に位置する場合、警報を発することを特徴とする検出システム。
【発明の詳細な説明】
【技術分野】
【０００１】
本発明は、アレルギー反応を推測する検出装置、および検出装置を用いた検出システムに関する。
【背景技術】
【０００２】
従来、アトピー性皮膚炎などアレルギー疾患において、原因物質（アレルゲン）を特定するためにパッチテストやＩｇＥ（免疫グロブリンＥ）抗体検査が行われている。これらの検査は各病院で行われるか、専門の検査機関などにサンプルが送られて行われており、検査の結果がわかるまでには長い期間を要している。
【０００３】
特許文献１には、半導体レーザーを線状に広げて被検部に照射し、照射スポットをラインセンサー上に結像して走査信号を記憶する。そして、記憶されたデータを被検部とそれ以外の領域ごとに解析して血流値を求め、両者の比を表示することで血流増加率を数値化することで、アレルギー反応の度合いを精密に定量化できることが開示されている。
【先行技術文献】
【特許文献】
【０００４】
【特許文献１】特開２００４−２６７３０８号公報
【発明の概要】
【発明が解決しようとする課題】
【０００５】
アレルギー疾患の患者は、パッチテストやＩｇＥ抗体検査などにより、アレルゲンが何かという情報を得ることができる。しかしながら、アレルギー疾患の患者にとって、特定したアレルゲンとの接触をさけるためには、特定されたアレルゲンとどこで接触したかの情報が必要となる。しかし、前記検査方法ではどこで接触したかの情報は得られないため、患者は、日常生活において、アレルゲンへの接触が予想される行動や生活環境に対して、できる限りの対策を取ることが必要となる。また、その対策の効果を検証することは、再度同様の検査を行う必要があるが、日常生活に合せて都度検査を行うことは困難である。
従って、アレルギー反応が生じたことを推測することができる検出装置、および検出装置を用いた検出システムが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係る検出装置は、アレルギー反応が発症したことを推測するための検出装置であって、アレルギー反応で生じる痒みにより誘因される掻破動作を含む動作を検出データとして取得する検出部を備えていることを特徴とする。
【０００８】
このような検出装置によれば、検出部により、アレルギー反応で生じる痒みにより誘因される掻破動作を含む動作を検出する。これにより、アレルギー反応が生じたことを推測できるデータを含む検出データを取得する検出装置を実現することができる。
【０００９】
［適用例２］上記適用例に係る検出装置において、検出部で取得した検出データを所定の装置に送信する送信部を備えることが好ましい。
【００１０】
このような検出装置によれば、送信部を介して検出部で取得した検出データを所定の装置に送信することにより、所定の装置と協働して、アレルギー反応が生じたことを継続的に推測できる検出装置を実現することができる。
【００１１】
［適用例３］上記適用例に係る検出装置において、検出部は、加速度センサーを備えていることが好ましい。
【００１２】
このような検出装置によれば、検出部が加速度センサーを備えることにより、掻破動作含む動作を容易に検出することができる。
【００１３】
［適用例４］本適用例に係る検出システムは、上述したいずれかの検出装置と、検出装置から送信された検出データを受信する受信部、および受信した検出データが周期的な繰返し動作を示すか否かを判断し、検出データを所定の記憶領域に記憶する処理部を有する処理装置と、を備えることを特徴とする。
【００１４】
このような検出システムによれば、検出装置と処理装置とで検出システムを構成することにより、処理装置では、検出装置から送信された検出データが、周期的な繰返し動作を示すか否かを判断することで、掻破動作か否かを判断する。そして、アレルギー反応を推測できる検出データを所定の記憶領域に記憶する。これにより、検出装置から送信される検出データを、アレルギー反応を推測するためのデータとして保持することができる。
【００１５】
［適用例５］上記適用例に係る検出システムにおいて、処理装置は位置特定装置を備え、位置特定装置による位置情報および時刻情報を取得し、検出データに対応させて記憶領域に記憶することが好ましい。
【００１６】
このような検出システムによれば、位置特定装置により取得した時刻情報および位置情報を、処理された検出データと関連付けて保持することにより、アレルギー反応が生じたと推測した場所や時間を明確にすることができる。ここで、位置特定装置とは、例えばＧＰＳ（Global Positioning System）である。
【００１７】
［適用例６］上記適用例に係る検出システムにおいて、検出データは、所定の位置情報により分類されて保存されることが好ましい。
【００１８】
このような検出システムによれば、検出データが所定の位置情報により分類されることで、例えば、領域毎に検出データが分類される場合、領域毎の検出データを確認することで、アレルギー反応が発症すると推測される領域を確認すること等ができる。
【００１９】
［適用例７］上記適用例に係る検出システムにおいて、検出データの保存は、所定の位置情報に対応して時系列に保存されることが好ましい。
【００２０】
このような検出システムによれば、所定の位置情報（例えば、ある領域毎）に対応して時系列で検出データが保存されることで、その領域での検出データを時系列で確認や比較を行うことができる。
【００２１】
［適用例８］上記適用例に係る検出システムにおいて、処理装置は、取得する現在の位置情報が、所定の位置情報の範囲内に位置する場合、警報を発することが好ましい。
【００２２】
このような検出システムによれば、検出システムを使用する使用者に対して、警報することで、使用者の現在の位置が、アレルギー反応の発症が推測される位置領域内であり、アレルギー症状を発症しやすいと推測される位置（アレルゲンに接触する可能性が大きいと推測される場所）であることを認識させることができる。
【図面の簡単な説明】
【００２３】
【図１】第１実施形態に係る検出装置の概断面図。
【図２】検出システムの概構成を示す図。
【図３】検出システムでの動作を示すフローチャート。
【図４】第２実施形態に係る検出システムでの動作を示すフローチャート。
【発明を実施するための形態】
【００２４】
以下、実施形態に関して図面に基づいて説明する。
【００２５】
〔第１実施形態〕
図１は、本実施形態に係る検出装置１の概断面図である。図２は、検出システム３の概構成を示す図である。なお、図２では、検出システム３を構成する検出装置１と処理装置２とを示し、併せて検出装置１を構成するブロック図も示している。
【００２６】
図１に示すように、本実施形態の検出装置１は、使用者の腕（例えば手首）に装着するリスト機器として構成されている。検出装置１は、アレルギー反応で生じる痒みにより誘因される掻破動作を含む動作を検出する装置である。
【００２７】
図１に示すように、検出装置１は、概矩形状の筐体１３０内部に、回路基板１２０や、回路基板１２０に実装される検出部１１および送信部１５や、駆動用の電源（図示省略）等が設置されている。筐体１３０の左右両端部には、手首に装着するためのベルト１４０が筐体１３０と一体となるように構成されている。筐体１３０およびベルト１４０は、例えばウレタンゴム等の合成樹脂材料で構成されている。
【００２８】
図２に示すように、検出装置１は、概略、検出部１１と送信部１５とで構成されている。検出部１１は、制御部１１１、センサー部１１２、Ａ/Ｄ変換部１１３等を備えて構成されている。センサー部１１２として、本実施形態では加速度センサーを備えている。
【００２９】
検出装置１は、制御部１１１の指示により、センサー部１１２を動作させる。センサー部１１２は、掻破動作を含む動作を検出して、その動作を検出データとして取得する。取得された検出データは、Ａ/Ｄ変換部１１３で数値データに変換される。Ａ/Ｄ変換部１１３で変換された検出データは、送信部１５を介して、図２に示すように、所定の装置としての処理装置２に送信される。
【００３０】
本実施形態の検出システム３は、図２に示すように、検出装置１と処理装置２とで構成されている。検出装置１は取得した検出データを、無線通信により、処理装置２に送信する。なお、送信部１５は、処理装置２との間で、無線通信を行うことができるものであれば、ＮＦＣ（Near Field Communication）、Ｂｌｕｅｔｏｏｔｈ（登録商標）規格やＷｉ-Ｆｉ（登録商標）規格などを利用した近距離無線通信、ＣＤＭＡ２０００方式、Ｗ-ＣＤＭＡ方式、ＬＴＥ（Long Term Evolution）方式などの携帯電話回線を利用した無線データ通信などを行える適宜の無線通信モジュールを使用することができる。
【００３１】
処理装置２は、携帯型のいわゆるスマートフォン、タブレット、ＰＣ（パーソナルコンピューター）等で構成され、検出装置１を使用する使用者が検出装置１と共に携帯する。処理装置２は、受信部や処理部（いずれも図示省略）を備えている。受信部は、検出装置１から送信された検出データを受信し、処理部は、受信した検出データを処理し、検出データと検出データに対応した環境データ（例えば、後述する時刻情報や位置情報）とを所定の記憶領域に記憶する。なお、検出システム３は、処理装置２に備わる処理部（ＣＰＵ：Central Processing Unit）上で実行されるコンピュータープログラムによって、検出装置１から送信される検出データに対して処理を行う。
【００３２】
図３は、検出システム３での動作を示すフローチャートである。
図３に示すように、プログラムの実行が開始された場合、処理装置２は、検出装置１から送信される検出データの受信を開始し、検出データが送信されるのを待機（ステップＳ２０１：ＮＯ）する。
【００３３】
検出データを受信した場合（ステップＳ２０１：ＹＥＳ）、次に、位置情報・時刻情報の取得を行う（ステップＳ２０２）。ここで、処理装置２は、位置特定装置としての図示省略するＧＰＳ（Global Positioning System）を備えている。そして、このＧＰＳを動作させることにより、現在の位置情報と、併せて現在の時刻情報を取得する。
【００３４】
次に、受信した検出データが、掻破動作を検出した場合のデータか否かを判断するための、検出データの確認（以降、掻破動作の確認と称する）を行う（ステップＳ２０３）。掻破動作の確認は、本実施形態では、受信した検出データが、周期的な繰返し動作を示しているか否かを判断する。なお、検出データが周期的な繰返し動作を示している場合には、掻破動作であると判断する。それ以外は掻破動作ではないと判断する。
【００３５】
本実施形態では、上述したように、周期的な繰返し動作が行われることが、アレルギー反応で生じる痒みにより誘因される掻破動作であるとしている。言い換えると、周期的な繰返し動作が行われることで、アレルギー反応が発症したと推測している。
【００３６】
掻破動作の確認の結果、検出データが掻破動作では無いと判断した場合（ステップＳ２０４：ＮＯ）には、保存せずにステップＳ２０１に戻る。検出データが掻破動作であると判断した場合（ステップＳ２０４：ＹＥＳ）には、次に、データ解析を行う（ステップＳ２０５）。
【００３７】
データ解析（ステップＳ２０５）を行うことにより、検出データや取得した時刻情報は、所定の位置情報に基づいて分類される。詳細には、本実施形態では、取得した位置情報による位置を中心として所定の半径（例えば１０ｍ）により領域（位置領域）を設定する。そして、設定した領域に対して、検出データや取得した時刻情報を関連付けて分類する。なお、領域が設定された後には、次回からの検出データが、この領域の範囲内に位置する場合には、この領域に対応する検出データ、時刻情報として関連付け、分類して処理される。
【００３８】
また、次回からの検出データが、この領域の範囲外に位置する場合には、この位置を含む新たな領域が設定され、その新たな領域に対して、検出データや取得した時刻情報を関連付けて分類する。言い換えると、位置情報を基に、領域毎に検出データ（時刻情報）を分類する。なお、処理装置２に液晶パネルやＥＬ（Electro Luminescence）素子等で構成される表示部を備える場合には、表示部を介して、領域毎に時系列で掻破動作が有った（アレルギー反応が生じたと推測する）ことを表示させることができる。なお、本実施形態では、例えば、掻破動作が有った場合に、検出データの表示として「有り」と表示される。
【００３９】
次に、ステップＳ２０６に移行して、データ解析された検出データ、位置情報、および時刻情報を保存（データ保存）する。その後は、ステップＳ２０１に戻り、検出データを待つ状態に移行する。
また、処理装置２は、無線ＬＡＮ回線、携帯電話回線、およびインターネット回線などの電気通信回線を通じて地図情報を取得し、取得した地図上に掻破動作が検出される領域をマッピングし、表示部を介して表示させる。使用者は、処理装置２の表示部に表示される地図を確認することで、掻破動作が検出されている場所を確認することができる。
【００４０】
また、処理装置２が、音を出力する素子、光を射出する素子、振動を発生する素子等により構成される警報部（図示省略）を備える場合、使用者の現在位置が、掻破動作が検出される領域内に位置している場合には、警報部を介して、使用者に掻破動作が検出される領域であることを警報することができる。また、使用者の現在位置が、掻破動作が検出される領域の近辺に位置している場合にも、警報部を介して、事前に使用者に警報することができる。
【００４１】
上述した実施形態によれば、以下の効果が得られる。
（１）本実施形態の検出装置１によれば、検出部１１により、アレルギー反応で生じる痒みにより誘因される掻破動作を含む動作を検出する。これにより、アレルギー反応が生じたことを推測できるデータを含む検出データを取得する検出装置１を実現することができる。
【００４２】
（２）本実施形態の検出装置１によれば、送信部１５を介して検出データを処理装置２に送信する。これにより、アレルギー反応を継続的に推測できる検出装置１を実現することができる。また、検出装置１では、検出データを処理する処理装置を備えないため、検出装置１の小型化を図ることができる。
【００４３】
（３）本実施形態の検出装置１によれば、検出部１１が加速度センサーを備えることにより、掻破動作含む動作を容易に検出することができる。
【００４４】
（４）本実施形態の検出システム３によれば、検出装置１と処理装置２とで検出システム３を構成することにより、処理装置２では、検出装置１から送信された検出データが、周期的な繰返し動作を示すか否かを判断することで、掻破動作か否かを判断する。そして、アレルギー反応を推測できる検出データを所定の記憶領域に記憶する。これにより、検出装置１から送信される検出データを、アレルギー反応を推測するためのデータとして保持することができる。
【００４５】
（５）本実施形態の検出システム３によれば、処理装置２はＧＰＳを備え、ＧＰＳにより取得した時刻情報および位置情報を、処理された検出データと関連付けて保持することができる。これにより、使用者に対して、アレルギー反応が生じた（アレルゲンが存在する）と推測した場所や時間を明確にすることができる。
【００４６】
（６）本実施形態の検出システム３によれば、領域毎に、検出データと時刻情報が分類されることで、その領域での検出データを確認することができ、アレルギー反応が生じやすいと推測されることが多い領域を認識することができる。これにより、使用者に対して、例えば、アレルギー反応が生じやすいと推測されることが多い領域には行かない等の回避行動を取ることを促すことができる。また、検出データが時系列で保存されることで、その領域でのアレルギー反応が生じたと推測する時刻を時系列に確認や比較を行うことができる。これにより、アレルギー反応と時刻との関係を知ることができ、アレルギー反応が時刻と因果関係が有りそうだと使用者が判断する場合には、例えば、その時刻にその領域に行かないこと等の回避行動をとることを促すことができる。
【００４７】
（７）本実施形態の検出システム３によれば、検出システム３を使用する使用者に対して、警報することで、使用者の現在の位置が、アレルギー反応の発症が推測される位置領域内であり、アレルギー反応が発症しやすいと推測される位置（アレルゲンに接触する可能性が大きいと推測される場所）であることを認識させることができる。これにより、使用者に対して、日常生活の中で常に処理装置２を確認しながら行動するという不便さを解消することができる。
【００４８】
〔第２実施形態〕
本実施形態の検出システム３Ａは、第１実施形態の検出システム３（処理装置２）における処理の一部を変更していることが第１実施形態と異なるところである。言い換えると、ＣＰＵ上で実行されるコンピュータープログラムの一部が変更されている。
【００４９】
図４は、第２実施形態に係る検出システム３Ａでの動作を示すフローチャートである。なお、第１実施形態のフローチャートと異なる箇所は、ステップＳ２０４での、掻破動作の確認の結果、検出データが掻破動作によるデータでは無い場合（ステップＳ２０４：ＮＯ）における以降の処理となる。以降では、異なる部分を説明する。
【００５０】
図４に示すように、ステップＳ２０４において、検出データが掻破動作によるデータでは無い場合（ＮＯ）には、次に、この検出データに関連付けられた位置情報に基づき、以前に保存しているデータが有るか否かを判断する（ステップＳ３０１）。詳細には、この位置情報に対応する領域にデータが有るか無いかを判断する。
【００５１】
判断の結果、保存データが有る（ステップＳ３０１：ＹＥＳ）場合には、次に、その保存しているデータを削除する（ステップＳ３０２）。そして、ステップＳ２０１に戻り、受信を待つ状態に移行する。また、保存データが無い（ステップＳ３０１：ＮＯ）場合には、ステップＳ２０１に戻り、受信を待つ状態に移行する。
【００５２】
上述した実施形態によれば、第１実施形態での効果を同様に奏することができる他、以下の効果が得られる。
（１）本実施形態の検出システム３Ａによると、検出データに掻破動作が無い場合には、以前の保存データを削除することで、アレルギー反応が改善されていることを容易に判断させることができる。
【００５３】
なお、上述した実施形態に限定されず、その要旨を逸脱しない範囲において種々の変更や改良等を加えて実施することが可能である。変形例を以下に述べる。
【００５４】
上記各実施形態において、検出装置１は、手首に装着する装置として構成されている。しかし、検出装置は、指に装着する装置として構成されることでもよい。
【００５５】
上記各実施形態において、検出装置１は、検出部１１と送信部１５を備えて、手首に装着している。しかし、検出装置は、送信部１５を備えず、処理装置２を構成する処理部、ＧＰＳ、表示部を備えて構成されていてもよい。この場合、表示部の大きさの制限もあり、地図情報は取得しなくても、時刻情報や位置情報を検出データに関連付けて表示することができる。
【００５６】
上記各実施形態において、検出部１１のセンサー部１１２として、加速度センサーを備えている。しかし、これに限られず、センサー部１１２は、手首の筋肉の収縮を検出するセンサーを備えていてもよい。この場合には、処理装置２は、周期的な筋肉の収縮があるか否かにより、アレルギー反応が生じたか否かを判断する。周期的な筋肉の収縮が有る場合には、アレルギー反応が生じたと推測することができる。また、センサー部１１２は、振動を検出するセンサーを備えていてもよい。この場合には、処理装置２は、振動の周波数域による特徴量が同等であるか否かにより、アレルギー反応が生じたか否かを判断する。振動の周波数域による特徴量が同等の場合には、アレルギー反応が生じたと推測することができる。
【００５７】
上記各実施形態において、検出システム３は、検出装置１と処理装置２とで構成されている。しかし、これに限られず、複数の検出システム３（処理装置２）と接続する第２処理装置を備えて、新たに、第２検出システムとして構成されてもよい。この場合、第２処理装置は、いわゆるサーバー等で構成されていてもよい。第２検出システムとして構成する場合、第２処理装置と検出システム３の処理装置２とは、電気通信回線を通じて無線で双方向が接続される。第２検出システムでは、検出システム３を使用している複数の使用者のデータを統合して記憶し管理することにより、複数の使用者のデータを活用することができる。その結果、第２検出システムを使用する使用者に対して、他の使用者のデータも含めたアレルギー反応が発症しやすいと推測される場所を予め知らせること等が可能となる。これにより、使用者は、他の使用者のデータを利用することができ、日常生活において安心して行動範囲を広げることができる。
【符号の説明】
【００５８】
１…検出装置、２…処理装置、３，３Ａ…検出システム、１１…検出部、１５…送信部、１１１…制御部、１１２…センサー部、１１３…Ａ/Ｄ変換部、１２０…回路基板。
【図１】
2017153709.tif 000003
【図２】
2017153709.tif 000004
【図３】
2017153709.tif 000005
【図４】
2017153709.tif 000006